(57)【要約】  【課題】  チャッキングプレートの位置ずれを防止し、光ディスクの確実な回転動作を可能にする。  【解決手段】  上下シェルからなるカートリッジ筐体の上シェル２ａ内面にチャッキングプレート押え１１を用いて、チャッキングプレートに上下全周に遊びを持たせた状態で係合しているディスクカートリッジにおいて、上シェルに係合用軸１２を形成し、チャッキングプレート押えに係合先の孔１２ａを形成して、軸と孔とをスナップフィット方式で係合して上シェルにチャッキングプレート押えを固定する。その時上シェルに設けた軸にベンディング構造を設け、かつ、軸とチャッキングプレート押えに互いに係合する凹部１１ｊと凸部１１ｄを設けて、軸とチャッキングプレート押えを係合させる。チャッキングプレート押えを上シェルに正確に固定できるので、チャッキングプレートの位置ずれを防止できる。  【選択図】  図４
2005032378.tif 000002
【特許請求の範囲】
【請求項１】
上シェルと下シェルからなるカートリッジ筐体内に、ディスク状記録媒体とチャッキングプレート、チャッキングプレート押えとが収容され、上シェル内面にチャッキングプレート押えを用いて、チャッキングプレートが垂直方向に遊びを有する状態で組込まれているディスクカートリッジにおいて、
前記カートリッジ筐体の上シェルに係合用の軸が設けられ、前記チャッキングプレート押えに係合先の孔が設けられ、この上シェルの軸とチャッキングプレート押えの孔とがスナップフィット方式で係合されて上シェルにチャッキングプレート押えが固定されていることを特徴とするディスクカートリッジ。
【請求項２】
請求項１記載のカートリッジにおいて、
前記カートリッジ筐体の上シェルに設けた軸にベンディング構造が設けられ、このベンディング構造により発生する保持力により前記チャッキングプレート押えが上シェルに固定されていることを特徴とするディスクカートリッジ。
【請求項３】
請求項１記載のカートリッジにおいて、
前記カートリッジ筐体の上シェルに設けた軸にチャッキングプレート押えと係合する面に凹部が設けられ、かつ、前記チャッキングプレート押えに凸部が設けられ、この凹部と凸部との係合により上シェルに対するチャッキングプレート押えの位置が決められていることを特徴とするディスクカートリッジ。
【請求項４】
請求項１記載のカートリッジにおいて、
前記カートリッジ筐体の上シェルのラベルエリア面及びチャッキングプレートホールドエリア面を表裏から均一に肉盗みしたことを特徴とするディスクカートリッジ。
【発明の詳細な説明】
【技術分野】
【０００１】
本発明は、光ディスクや光磁気ディスク、磁気ディスク等のディスク状記録媒体をカートリッジ筐体のディスク収納室内に収納するためのディスクカートリッジ、そのディスク収納室内にディスク状記録媒体が、予め回転自在に収納されたディスクカートリッジ、特に、ディスク状記録媒体をターンテーブルに挟持して回転駆動するためのチャッキングプレートをカートリッジ筐体に遊動自在に支持したディスクカートリッジに関するものである。
【背景技術】
【０００２】
従来、一般に、音声、映像或いはコンピューターのデータ等情報の記録及び再生が可能なディスク状記録媒体誤消去防止がカートリッジ筐体内に回転自在に収納されたディスク状記録媒体としては、例えば、コンピューターのデータ等の情報を使用者が後から記録書き込みできる追記型或いは、書換型光ディスクを内蔵しているものが知られている(例えば、特許文献１参照)。
【特許文献１】特開２００３−９１９５５号（図１〜６、図１５、１６）  従来ディスクカートリッジは、図８、９、１０に示すように、上シェル２ａと下シェル２ｂの周壁を突合せることによって形成されるカートリッジ筐体２内にディスク状記録媒体５（以下、単に光ディスクと称する）とインナーローター６とシャッター７ａ、７ｂとを収納することにより構成されている。そして、図１１、１２に示すようにＶＴＲ側のロック部材９により、インナーローター６を一方向に回転させると、シャッター７ａ，７ｂがカートリッジ筐体２に設けた開口部８を閉じる第１の位置（図１１）に移動し、インナーローター６を他方向に回転させると、シャッター７ａ，７ｂがカートリッジ筐体２の下シェル２ｂに設けた開口部８を開放する第２の位置（図１２）に移動するようになっているものが知られている。
【０００３】
前記光ディスク５は、インナーローター６の上面側に配置され、前記シャッター７ａ，７ｂは、インナーローター６の下面側に配置されている。インナーローター６は、円板状の薄い板材からなる平面部６ａと、この平面部６ａの外周縁に連続して設けられたリング部６ｂとを有している。インナーローター６の平面部６ａには、開口部６ｃが形成されている。開口部６ｃは、下シェル２ｂの開口部８と形状及び大きさがほぼ等しく形成されている。また、リング部６ｂの外周には、ＶＴＲ側のロック部材９と係合するギヤ部６ｄが設けられている。
【０００４】
上シェル２ａの内面の略中央部には、図１５，１６に示すようにチャッキングプレート３がチャッキングプレート押え４により、回動自在に支持されている。チャッキングプレート３及びチャッキングプレート押え４は図１３、１４に拡大して示すような構成を有している。そしてチャッキングプレート３は、マグネットによって吸着される磁性材料（例えば、ステンレス鋼ＳＵＳ４３０等）によって円盤状に形成されている。
【０００５】
ディスク記録再生装置にディスクカートリッジ１を挿入した場合、カートリッジ１のシャッター７の移動により発生した開口部８から、ターンテーブル１０が挿入されることにより、図１７に示すようにターンテーブル１０に設けられているマグネットの磁力によってチャッキングプレート３が吸着され、このチャッキングプレート３とターンテーブル１０とで光ディスク５が挟持されて回転方向に一体化されて所定速度で回転される。
【発明の開示】
【発明が解決しようとする課題】
【０００６】
ところで、従来の上シェル２ａ及びチャッキングプレート３、チャッキングプレート押え４には次に述べるような問題があった。
【０００７】
チャッキングプレート３は上シェル２ａの内面の略中央部に溶接されたチャッキングプレート押え４により回動自在に支持されている。しかし、チャッキングプレート押え４のつば部分４ａを上シェル２ａの内面に溶着する際に超音波溶着方式を採用しているため、超音波により微振動が生じてチャッキングプレート押え４の位置ずれが発生し易い。チャッキングプレート３のセンター位置ずれが発生した場合、チャッキングプレート３とターンテーブル１０で挟持する光ディスク５のチャッキング位置精度が悪化して、ＶＴＲ装着時に光ディスク５の回転動作不良を引き起こす危険性がある。
【０００８】
また、上シェル２ａ表面の中央にかかる部分にラベルエリア２ｃがあり、肉盗みされている。そして上シェル裏面の中央部分には、チャッキングプレートのホールドエリア２ｄがあり、肉盗みされている。しかしながら、これらの肉盗みによって樹脂流動のバランスが悪くなり、射出成形から成る上シェル２ａの反り、歪みは、更に悪化して光ディスクのチャッキング位置と回転精度が不安定となり、光ディスクの回転動作不良を引き起こす危険性がある。（図１８、１９）。
【０００９】
上シェルの反りは、溶融樹脂の充填圧力を減少させる事により解消する事ができるが、弊害として、ショートモールド（成形不良）が発生し易くなる。
【００１０】
本発明は、上記課題を解決すべくなされたもので、チャッキングプレートの位置ずれを防止し、かつ光ディスクの確実な回転動作が可能なディスクカートリッジを提供することを目的とする。
【課題を解決するための手段】
【００１１】
本発明は、上シェルと下シェルからなるカートリッジ筐体内に、ディスク状記録媒体とチャッキングプレート、チャッキングプレート押えとが収容され、上シェル内面にチャッキングプレート押えを用いて、チャッキングプレートが垂直方向に遊びを有する状態で組込まれているディスクカートリッジにおいて、チャッキングプレート押えの溶着による、チャッキングプレートの中心ずれを防止するため、上シェルに係合用の軸を形成させ、さらに、チャッキングプレート押えに係合先の孔を形成させて、これらをスナップフィット方式で係合して上シェルにチャッキングプレート押えを固定する。
【００１２】
そしてこの時、カートリッジ筐体の上シェルに設けた軸にベンディング構造を設けて、かつ、軸とチャッキングプレート押えに互いに係合する凹部と凸部を設けて、上シェルに設けた軸とチャッキングプレート押えを係合させる。
【００１３】
また、さらに上シェルのラベルエリアとチャッキングプレート押えホールドエリアの肉盗み量を均一にする。
【発明の効果】
【００１４】
この発明は、上下シェルの周壁を突合せることによって形成したカートリッジ筐体内に、ディスク状記録媒体とディスク状記録媒体をターンテーブルに挟持して回転駆動するためのチャッキングプレートをカートリッジ筐体に遊動自在に支持したディスクカートリッジにおいて、上シェル内面に形成された軸とチャッキングプレート押えに形成された孔をスナップフィット方式で係合させて、かつ、上シェル内面の軸にベンディング構造を追加したことと、チャッキングプレート押えに形成した凸部と上シェル内面の軸の凹部を係合させたことにより、チャッキングプレート及びチャッキングプレート押えの位置を正確に保持することが可能になり、かつ、上シェルの肉厚バランスの変更により、上シェルの歪みや反りの発生を防止することにより、チャッキングプレートの回転精度を保証して、光ディスクの回転精度を良好にできる。よって、光ディスクの信頼性を高めることができる。また、上シェルとチャッキングプレート押えの組立時にスナップフィット方式を採用したことにより、分解が容易になり、資源リサイクルに対する効果を高めることができる。
【発明を実施するための最良の形態】
【００１５】
以下、本発明の実施形態に係るディスクカートリッジのチャッキングプレート保持機構、及び、上シェル肉厚変更について図１〜６を用いて説明する。なお、図中、従来図８〜１９と同一構成部分には同一符号を付してある。図１にチャッキングプレート押えを、図２に上シェルの内面側を、図３に上シェルの内面の設けられている軸の構造を、図４に上シェルにチャッキングプレート押えを取付けた状態の概略断面を、図５に上シェルのチャッキングプレートホールドエリアの概略断面を、図６にチャッキングプレート押えが取付けられている上シェルの内面側を示す。なお、図３において、（Ａ）は軸の平面図、（Ｂ）は（Ａ）におけるＡ−Ａ断面図、（Ｃ）は軸の正面図、（Ｄ）は左側面図、（Ｅ）は右側面図を示す。
【００１６】
図１、２、３について、ディスクカートリッジの上シェル２ａ内側のチャッキングプレート押え１１のつば部分１１１が当接する当接面２ａ１に、チャッキングプレート押え１１との結合手段として断面Ｌ字状の軸１２を数箇所均等に配置して設け、それに対向するように、チャッキングプレート押え１１のつば部分１１１に上シェル２ａのＬ字状の軸１２が挿通する孔１１ａを設ける。そして、チャッキングプレート押え１１の孔１１ａと、上シェル２ａのＬ字状の軸１２をスナップフィット方式で結合可能とする。
【００１７】
上記チャッキングプレート押え１１の構成について詳述する。上記孔１１ａと軸１２をスナップフィット方式で結合するため、チャッキングプレート押え１１の孔１１ａは、例えば、図１（Ｂ）、（Ｃ）に示すように、軸１２が軸方向に挿通するための角孔部１１ｂと軸１２の軸部１２１をチャッキングプレート押え１１の円周方向（以下、単に円周方向）に案内するための長孔部１１ｃとの２つを組み合わせた形状にしてある。すなわち、角孔部１１ｂは辺１１ｅ、１１ｆを有し、長孔部１１ｃは角孔部１１ｂの右側に形成され円周方向の辺１１ｉ，１１ｈを有する。
【００１８】
そして、チャッキングプレート押え１１の長孔部１１ｃの内側には僅かな厚みの係合用突起（以下、凸部）１１ｄが設けられている。この凸部１１ｄは、孔１１ａに係合するＬ字状の軸１２が長孔部１１ｃに案内されて長孔部１１ｃの右端の辺１１ｇに突き当たって止まった図６の位置において、軸１２の突起状部分１２２の裏面に設けられている係合用の凹部１２ｊと嵌合可能なように、角孔部１１ｂの辺１１ｅの長さの１／２の距離だけ円周方向左側に寄った位置に設けられている。
【００１９】
上記上シェル２ａの軸１２の構成について詳述する。上シェル２ａのＬ字状の軸１２は、軸部１２１とその上部の半径内側方向の突起状部分１２２からなり、軸１２の軸部１２１は、チャッキングプレート押え１１の長孔部１１ｃの幅より僅かに小さい半径方向の辺１２ａと、チャッキングプレート押え１１のつば部分１１１の厚みｔと同じ長さＬ１の軸方向の辺１２ｂとこの辺１２ｂより僅かに短い長さＬ２の軸方向の辺１２ｇを有する。また、軸１２の突起状部分１２２は、チャッキングプレート押え１１の角孔部１１ｂの辺１１ｅ、１１ｆより僅かに小さい辺１２ｃ、１２ｄと、長さＬ３の軸方向の辺１２ｅと、この軸方向の辺１２ｅに比べて僅かに長い長さＬ４の軸方向の辺１２ｆを有し、突起状部分１２２の下面は円周方向に僅かに傾斜した斜面１２ｈに形成されている。
【００２０】
つまり、軸１２の辺１２ｂの長さＬ１、辺１２ｇの長さＬ２、辺１２ｅの長さＬ３、辺１２ｆの長さＬ４の関係は、Ｌ１＞Ｌ２、Ｌ４＞Ｌ３、Ｌ１＋Ｌ３＝Ｌ２＋Ｌ４  となるように形成されている。
【００２１】
そして軸１２の突起状部分１２２の斜面１２ｈの中心部には、チャッキングプレート押え１１の凸部１１ｄと嵌合可能な形状の凹部１２ｊが形成されている。
【００２２】
なお、軸１２の斜面１２ｈの凹部１２ｊは、例えば、図７に示すような溝１２ｍとすることも可能であるが、図７に示すように溝１２ｍを設けると軸１２の斜面１２ｈが溝１２ｍにより分断されるため、上シェル２ａの軸１２にチャッキングプレート押え１１の角孔部１１ｂを入れてチャッキングプレート押え１１を回動させて軸１２の斜面１２ｈをチャッキングプレート押え１１の面１１１ａに乗り上げさせる時に角孔部１１ｂの縁１１ｋが斜面１２ｈの溝１２ｍに引っ掛かってチャッキングプレート押え１１の回動を妨げる恐れがある。
【００２３】
また、上記とは逆に凹部１２ｊ又は溝１２ｍをチャッキングプレート押え１１に設け、突部１１ｄを軸１２の斜面１２ｈに設けることも可能であるが、突部１１ｄを軸１２の斜面１２ｈに設けると、軸１２の斜面１２ｈをチャッキングプレート押え１１の面１１１ａに乗り上げさせるときの障害となる恐れがある。
【００２４】
上シェル２ａとＬ字状の軸１２は樹脂の射出成形により一体に形成されている。図４に示すように、Ｌ字状の軸１２の肉厚は上シェル２ａの肉厚より薄く形成されており、軸１２の斜面１２ｈに力がかかると若干変形可能となっている。また、軸１２の辺１２ｇの長さＬ２はチャッキングプレート押え１１のつば部１１１の厚みｔより僅か短くなっているが、上シェル２ａの軸１２にチャッキングプレート押え１１の角孔部１１ｂを入れて回動させると軸１２の弾性変形などにより、軸１２の突起部分１２２の斜面１２ｈがチャッキングプレート押え１１の孔１１ｃより半径方向内側の部分１１１ａに乗り上がることが可能になっている。
【００２５】
上記上シェル２ａとチャッキングプレート押え１１の組立方法について説明する。上シェル２ａの中心部にチャッキングプレート３を置き、上シェル２ａの軸１２にチャッキングプレート押え１１の孔１１ａの角孔部１１ｂを入れて、上シェル２ａの中心部にチャッキングプレート押え１１を重ねる。そして、チャッキングプレート押え１１を反時計方向に回動させ軸１２の斜面１２ｈをチャッキングプレート押え１１のつば部分１１１の面１１１ａに乗り上げさせ、さらに、チャッキングプレート押え１１を回動させて長孔部１１ｃの右端の壁１１ｇを上シェルの軸１２に当接させて図６の状態にする。これにより軸１２の斜面１２ｈがチャッキングプレート押え１１のつば部分１１１が押えつけられ、チャッキングプレート押え１１が上シェル２ａに固定される。
【００２６】
具体的には、チャッキングプレート押え１１のつば部分１１１を押えつける軸１２に辺１２ｅと辺１２ｆの長さの違いがあることから、チャッキングプレート押え１１を円周方向に回転させると軸１２の上部突起部分１２２の斜面１２ｈがチャッキングプレート押え１１の孔１１ｃよりチャッキングプレート押え１１の面１１１ａに乗り上げて軸１２が弾性変形する。軸１２はいわゆるベンディング構造を有していて、これによって発生する保持力によりチャッキングプレート押え１１を上シェル２ａに固定する。
【００２７】
また、軸１２のベンディング構造でチャッキングプレート押え１１を固定しているのに加えて、チャッキングプレート押え１１を反時計方向に回動させた際に、軸１２の辺１２ｉが僅かな厚みの凸部１１ｄを乗り越えて、軸１２自体が長孔部１１ｃの右端の壁１１ｇに突き当たって止まる。（なお、この凸部１１ｄの乗り越えを容易にするには、例えば、軸１２の辺１２ｉに僅かな面取りを施しておけばよい。）この軸１２が止まった時、図４に示すように軸１２の斜面１２ｈの凹部１２ｊがチャッキングプレート押え１１の凸部１１ｄに嵌合する。
【００２８】
この２つの要素、つまり軸１２のベンディング構造と、チャッキングプレート押え１１の凸部１１ｄと軸１２の凹部１２ｊとの嵌合によって、チャッキングプレート押え１１を上シェル２ａに正確に固定して、かつ、外れにくい結合が可能となる。
【００２９】
そして、図５に示すように、上シェル２ａとチャッキングプレートホールドエリア２ｄ部分の肉厚は、所定厚を残すようにして表裏から均等に肉盗みに形成し、上シェル２ａの肉厚のバランスを変更して上シェル２ａの歪みや反りの発生を防止するようにしてある。
【００３０】
以上のようにしてチャッキングプレート押え１１を上シェル２ａに固定すると共に上シェル２ａの肉厚のバランスを変更したので、チャッキングプレート押え１１により回動自在に支持されるチャッキングプレートの位置ずれが防止され、光ディスクの確実な回転動作が可能なディスクカートリッジがえられる。
【図面の簡単な説明】
【００３１】
【図１】実施形態に係るチャッキングプレート押えを示す図で、（Ａ）は斜視図、（Ｂ）はチャッキングプレート押えの係合用孔付近の拡大斜視図、（Ｃ）は同平面図。
【図２】実施形態に係る上シェルの内面側を示す斜視図。
【図３】実施形態に係る上シェルの係合用軸の構成を説明する図で、（Ａ）は係合用軸の平面図、（Ｂ）は（Ａ）におけるＡ−Ａ矢視断面図、（Ｃ）は正面図、（Ｄ）は左側面図、（Ｅ）は右側面図。
【図４】実施形態に係る上シェルにチャッキングプレート押えを取付けた状態における要部の概略断面を示す図で、（Ａ）は要部半径方向の断面図、（Ｂ）は（Ａ）におけるＢ−Ｂ矢視断面図。
【図５】実施形態に係る上シェルのチャッキングプレートホールドエリアの概略断面図。
【図６】実施形態に係るチャッキングプレート押えが取付けられている上シェルの内面側を示す斜視図。
【図７】上シェルの係合用軸に溝を設けた場合の軸の裏面図。
【図８】従来例に係るのディスクカートリッジの上面斜視図。
【図９】従来例に係るディスクカートリッジの底面斜視図。
【図１０】従来例に係るディスクカートリッジの部品構成斜視図。
【図１１】従来例に係るカートリッジ筐体とシャッター機構との動作関係を示すＶＴＲ側のロック部材で開口部が完全に閉じた状態説明図。
【図１２】従来例に係るカートリッジ筐体とシャッター機構との動作関係を示すＶＴＲ側のシャッター部材で開口部が完全に開いた状態説明図。
【図１３】従来例に係るチャッキングプレートを示す斜視図。
【図１４】従来例に係るチャッキングプレート押えを示す斜視図。
【図１５】従来例に係るチャッキングプレート押えが取付けられている上シェルの内面側を示す斜視図。
【図１６】上シェルのチャッキングプレートホールドエリアの概略断面図。
【図１７】ＶＴＲ装着時のチャッキングプレートと光ディスクの概略断面図。
【図１８】上シェルのラベルエリアで反りが発生した状態の概略断面図。
【図１９】上シェルのラベルエリアで歪みが発生した状態の概略断面図。
【符号の説明】
【００３２】
１…ディスクカートリッジ
２…カートリッジ筐体、２ａ…・上シェル、２ｂ…・下シェル
３…チャッキングプレート
４…チャッキングプレート押え
５…光ディスク（ディスク状記録媒体）
６…インナーローター、
６ａ…平面部、６ｂ…リング部、６ｃ…開口部、６ｄ…ギア部
７ａ、７ｂ…シャッター
８…開口部
９…ＶＴＲ側ロック部材
１０…ＶＴＲ側ターンテーブル
１１…チャッキングプレート押え
１１ａ…係合用の孔、１１ｂ…角孔部、１１ｃ…長孔部、１１ｄ…突起部（凸部）、１１ｅ…辺、１１ｆ…辺、１１ｇ…辺（壁）、１１ｈ…辺、１１ｉ…辺、１１ｋ…辺（縁）
１２…係合用軸、１２１…軸部、１２２…突起状部分、１２ａ…辺、１２ｂ…辺、１２ｃ…辺、１２ｄ…辺、１２ｅ…辺、１２ｆ…辺、１２ｇ…辺、１２ｈ…斜面、１２ｉ…辺、１２ｊ…凹部、１２ｋ…辺、１２ｍ…溝
【図１】
2005032378.tif 000003
【図２】
2005032378.tif 000004
【図３】
2005032378.tif 000005
【図４】
2005032378.tif 000006
【図５】
2005032378.tif 000007
【図６】
2005032378.tif 000008
【図７】
2005032378.tif 000009
【図８】
2005032378.tif 000010
【図９】
2005032378.tif 000011
【図１０】
2005032378.tif 000012
【図１１】
2005032378.tif 000013
【図１２】
2005032378.tif 000014
【図１３】
2005032378.tif 000015
【図１４】
2005032378.tif 000016
【図１５】
2005032378.tif 000017
【図１６】
2005032378.tif 000018
【図１７】
2005032378.tif 000019
【図１８】
2005032378.tif 000020
【図１９】
2005032378.tif 000021